(57)【要約】【課題】  体を捻らずに回転できるゴルフシューズを提供する。【解決手段】  アドレス状態から体を捻らずに右に回転させつつクラブを持ち上げる。すると、左右のシューズ１，１は足の親指の付け根を中心として回転し右を向く。このとき、実際は靴底２の方が回転しているのであるが相対的には回転機構４を構成する回転体６が回転する。そして回転体６が相対的に９０度回転した位置で、右側の弾発部材１３が圧縮限界に達し、回転は停止する。この位置がバックスイングの終点であり、フォロースルーの開始点となる。【選択図】 図４
2010172482.tif 000002
【特許請求の範囲】
【請求項１】
爪先立ちした状態で踵部分が浮くように靴底前面が先端に向かって前上がり傾斜面とされ、この傾斜面のうち足の親指の付け根の直下に対応する部分に回転中心が位置する回転機構が設けられ、この回転機構は靴底に固定される受け部材とこの受け部材に回転自在に支持される回転部材とからなり、前記受け部材がキャップ状をなすか前記回転部材がカップ状をなすことで回転部材と受け部材との間に内部空間が形成され、前記回転部材には前記内部空間を左右の空間に２分割する分割板を設け、前記左右の空間の夫々に回転部材の回転につれて前記分割板によって圧縮される弾発部材が収納されることを特徴とするゴルフシューズ。
【請求項２】
請求項１に記載のゴルフシューズにおいて、前記弾発部材は回転部材が中立位置から左右に９０度回転した状態で圧縮限界となるように設定することを特徴とするゴルフシューズ。
【発明の詳細な説明】
【技術分野】
【０００１】
本発明は、体を捻らないゴルフスイングに適したゴルフシューズに関する。
【背景技術】
【０００２】
体を捻らないゴルフスイング理論が非特許文献１に開示されている。この理論は、前のめりになりそうな状態でひざを曲げ、つま先に体重をかけ、不安定な状態つまり体が動き安い状態でアドレスし、右打ちの場合、バックスイングでは右を向いて両手で荷物を持ち上げる姿勢をとり、その状態から体を回転させながら手を下ろし、そのままフォロースイングでは左を向いて再び両手で荷物を持ち上げる姿勢をとるというものである。
【０００３】
上記のゴルフスイング理論は体の中心を意識して、腕力や無理な手首の返しを伴わないため、非力な女性や体が硬くなった高齢者でも、十分な飛距離と安定した方向性が得られるとされている。
【０００４】
上記のゴルフスイング理論を実践するには、体を捻らずに体全体を回転させるため、回転機能が付加されたシューズが好ましい。斯かる回転機能を備えたシューズとしては特許文献１〜４に開示されるものがある。
【０００５】
特許文献１には、靴底に設けたターンテーブルが周囲に設けた弾性ウェブによって靴底に結合され、前記弾性ウェブはターンテーブルの休止位置からいずれかの方向への回転に応じて弾性的に変形可能で、ターンテーブルがその休止位置に向って戻るように弾性バイアスを印加する構造が提案されている。
【０００６】
特許文献２には、つま先と踵の靴底に底穴を設け、それぞれの底穴の内部に上板を装着し、上板の中心に靴底と垂直方向に中軸を装着し、この中軸に回転体を装着する構造が開示されている。
【０００７】
特許文献３には、シューズの靴底足指の付根部分が厚く形成され、この部分に取付金具を設け、この取付金具に回転アダプタを装着することで、回転運動ができるシューズが提案されている。
【０００８】
特許文献４には、サンダルなどの履物として、足置き部材の下側に回転盤を配置し、足置き部材と回転盤との間に回転軸を形成し、該回転軸により足置き部材と回転盤とを接続した構造が提案されている。
【０００９】
【特許文献１】特表平１１−５１３２８６号公報
【特許文献２】特開２００５−９５２８３号公報
【特許文献３】特開２００５−１２４６８８号公報
【特許文献４】特開２００６−１９２２２６号公報
【非特許文献１】「ネジらないから遠くへ飛ぶ、ピンに寄る」  増田  哲仁著  ゴルフダイジェスト新書  ２００７年１２月１６日発行
【発明の開示】
【発明が解決しようとする課題】
【００１０】
特許文献１に開示されるシューズは、ほんの少しターンテーブルが回転できるだけで、体を捻らないスイングに適用することはできない。また、足の親指の付け根を中心とした回転ができない。
【００１１】
特許文献２〜４に開示されるシューズは、どこまで回転したかを感覚的に掴みづらくバックスイングの終了点が判断し難く、スイングの開始のきっかけがつかみにくい。
【００１２】
また、体の中心を安定させて且つ捻らずに体全体を回転させるには、足の親指の付け根を中心としなければならないが、いずれの先行技術もそのような構造になっていない。例えば特許文献３では回転アダプタの取付け位置は指の付根部分とはなっているが具体的には靴裏の幅方向の中心に回転アダプタが取り付けられ、足の親指の付け根を中心とした回転ができない。
【課題を解決するための手段】
【００１３】
上記の課題を解決するため本発明に係るゴルフシューズは、爪先立ちした状態で踵部分が浮くように靴底前面が先端に向かって前上がり傾斜面とされ、この傾斜面のうち足の親指の付け根の直下に対応する部分に回転中心が位置する回転機構が設けられ、この回転機構は靴底に固定される受け部材とこの受け部材に回転自在に支持される回転部材とからなり、前記受け部材がキャップ状をなすか前記回転部材がカップ状をなすことで回転部材と受け部材との間に内部空間が形成され、前記回転部材には前記内部空間を左右の空間に２分割する分割板を設け、前記左右の空間の夫々に回転部材の回転につれて前記分割板によって圧縮される弾発部材が収納される構成とした。
【００１４】
前記弾発部材としてはゴムの他にスプリング、皿ばね、ガスなどが考えられ、その設定は、例えば回転部材が中立位置から左右に９０度回転した状態で圧縮限界となるようにするのが好ましい。
【発明の効果】
【００１５】
本発明に係るゴルフシューズによれば、体を捻らなくても、正確な方向性と十分な飛距離を確保できるので、女性や高齢者に最適である。また、体を捻ることがないため腰に負担がかからず、腰痛の持病をもっているゴルファーにも有効である。
【発明を実施するための最良の形態】
【００１６】
以下に本発明の好適な実施の形態を図面に基づいて説明する。図１は本発明に係るゴルフシューズの側面図、図２は同ゴルフシューズの底面を示す図である。
【００１７】
ゴルフシューズ1の靴底２の全体の約１／３〜１／２程の前面部分３は爪先立ちした状態で踵部分が浮くように先端に向かって前上がり傾斜面とされ、この部分に回転機構４が設けられている。
【００１８】
回転機構４は靴底に固定される受け部材５と回転部材６から構成される。受け部材５はキャップ状をなし、中心部にはネジ軸７が取り付けられている。回転部材６は円盤状をなし中心部には円筒部８が形成され、下面にはスパイクとなる突起９が形成されている。前記円筒部８を前記ネジ軸７に外嵌した状態で円筒部８とネジ軸７との間には隙間が形成され、この隙間に内周面に雌ネジ部を形成した袋ナット１０を羅着することで、回転部材６は受け部材５に回転自在に保持される。
【００１９】
前記回転機構４は一部を壁１１で閉じたキャップ状をなしているため、回転部材６を保持した状態で回転部材６と受け部材５との間には内部空間が形成され、回転部材６に設けた分割板１２によって前記内部空間は左右の空間Ｓ1、Ｓ２に分割され、夫々の空間Ｓ1、Ｓ２にゴムなどの弾発部材１３が収納されている。
【００２０】
尚、回転部材６と受け部材５とはできるだけ密着させて空間Ｓ1、Ｓ２にゴミなどが侵入しないようにする。また空間を形成するには受け部材５の形状をカップ状にすれば更にゴミなどが侵入しにくくなる。
【００２１】
また、前記弾発部材１３の選定は、例えば回転部材６が中立位置から左右に９０度回転した状態で圧縮限界となるものを選定する。
【００２２】
次に、実際のスウィングに合わせた本発明に係るゴルフシューズの作用を図３〜５に沿って説明する。ここで、図３（ａ）はアドレス時のゴルフシューズの位置を示す図、（ｂ）はアドレス時の回転体と弾発部材との関係を説明した図、図４（ａ）はバックスウィング時のゴルフシューズの位置を示す図、（ｂ）はバックスウィング時の回転体と弾発部材との関係を説明した図、図５（ａ）はフォロースルー時のゴルフシューズの位置を示す図、（ｂ）はフォロースルー時の回転体と弾発部材との関係を説明した図である。
【００２３】
先ず、アドレス状態では図３（ａ）に示すように、左右のシューズ１，１の前後方向が目標方向と略直角になっている。この状態から膝を曲げずに体を前傾し爪先立ちする。それから膝を曲げて体の中心が安定した爪先立ち状態とする。この状態は安定しているが爪先立ち状態のため次の動作がスムーズに開始できる。
【００２４】
上記のアドレス状態では、図３（ｂ）に示すように、回転体の分割板１２は内部空間を左右等しく２分割する位置にあり、この位置では左右の弾発部材１３の圧縮状態は等しく、何ら回転力（抵抗）が発生していないニュートラル状態である。
【００２５】
上記のアドレス状態から体を捻らずに右に回転させつつクラブを持ち上げる。すると、図４（ａ）に示すように、左右のシューズ１，１は足の親指の付け根を中心として回転し右を向く。このとき、実際は靴底２の方が回転しているのであるが相対的には回転機構４を構成する回転体６が回転する。そして回転体６が相対的に９０度回転した位置で図４（ｂ）に示すように、右側の弾発部材１３が圧縮限界に達し、回転は停止する。この位置がバックスイングの終点であり、フォロースルーの開始点となる。
【００２６】
バックスイング状態から体を捻らずに左に回転させつつクラブを下げ、スイングを開始する。すると、アドレス状態を通過し、この時点でボールをヒットし、さらにそのまま回転を継続しつつクラブを持ち上げフォロースルーに至る。このフォロースルーの状態では図５（ａ）に示すように、左右のシューズ１，１は足の親指の付け根を中心として回転し左を向く。そして回転体６が相対的に左に９０度回転した位置で図５（ｂ）に示すように、左側の弾発部材１３が圧縮限界に達し、回転は停止する。この位置がフォロースルーの終点となる。
【図面の簡単な説明】
【００２７】
【図１】本発明に係るゴルフシューズ（右側）を斜め下から見た図
【図２】同ゴルフシューズ（右側）を図１とは異なる側の斜め下から見た図
【図３】（ａ）はアドレス時のゴルフシューズの位置を示す図、（ｂ）はアドレス時の回転体と弾発部材との関係を説明した図
【図４】（ａ）はバックスウィング時のゴルフシューズの位置を示す図、（ｂ）はバックスウィング時の回転体と弾発部材との関係を説明した図
【図５】（ａ）はフォロースルー時のゴルフシューズの位置を示す図、（ｂ）はフォロースルー時の回転体と弾発部材との関係を説明した図
【符号の説明】
【００２８】
１…ゴルフシューズ、２…靴底、３…靴底の前面部分、４…回転機構、５…受け部材、６…回転部材、７…ネジ軸、８…円筒部、９…突起、１０…袋ナット、１１…壁、１２…分割板、１３…弾発部材、Ｓ1、Ｓ２…左右の空間。
【図１】
2010172482.tif 000003
【図２】
2010172482.tif 000004
【図３】
2010172482.tif 000005
【図４】
2010172482.tif 000006
【図５】
2010172482.tif 000007